(57)【特許請求の範囲】
【請求項１】
少なくとも底部を備えた捕獲器本体からなり、当該底部の上面に粘着物質が塗布された粘着部を有するゴキブリ捕獲器であって、
前記粘着部に、蛇行した複数の突条および溝が交互に形成され、
前記粘着部に塗布される粘着物質の粘度が１３０℃付近で２５００〜３３００Ｐ程度である
ことを特徴とするゴキブリ捕獲器。
【請求項２】
少なくとも底部を備えるとともに当該底部の上面に粘着物質が塗布された粘着部を有する捕獲器本体と、前記粘着部を被覆するための剥離紙とからなるゴキブリ捕獲器であって、
前記粘着部および剥離紙の両方に、蛇行した複数の突条および溝が交互に形成され、
前記粘着部に塗布される粘着物質の粘度が１３０℃付近で２５００〜３３００Ｐ程度である
ことを特徴とするゴキブリ捕獲器。
【請求項３】
（ａ）捕獲器本体の底部の上面に粘着物質を塗布して、粘着部を形成する工程、
（ｂ）前記粘着部を剥離紙で被覆する工程、および
（ｃ）前記粘着部および剥離紙の両方に、蛇行した複数の突条および溝を交互に形成する工程とを含み、
前記粘着部に塗布される粘着物質の粘度が１３０℃付近で２５００〜３３００Ｐ程度である
ことを特徴とするゴキブリ捕獲器の製法。
【発明の詳細な説明】
【０００１】
【発明の属する技術分野】
本発明はゴキブリ捕獲器およびその製法に関する。さらに詳しくは粘着剤を利用したゴキブリ捕獲器であって、捕獲器内部に侵入したゴキブリの歩行を効果的に妨害することにより捕獲器外部への逃亡を確実に防止することができるゴキブリ捕獲器およびその製法に関する。
【０００２】
【従来の技術】
従来より粘着式のゴキブリ捕獲器には種々のものが知られており、一般的なゴキブリ捕獲器として、中空のゴキブリ捕獲器本体の平らな底部上面において、粘着剤を全面に塗布するか、または平行に複数本の筋塗りすることにより粘着部が形成されたものがある。また、少ない粘着剤で捕獲効率を向上させるために間隔を設けて波型筋状に粘着剤を塗布することにより粘着部を形成したゴキブリ捕獲器もある（実開昭５３−２９９７５号公報）。
【０００３】
また、他の捕獲器の例として、実開昭５３−１００４８２号には直線状に凹凸加工されたプレートを凹部および凸部が内側にくるように曲施されてなる捕獲器が開示されている。かかる捕獲器は、底板がなく、プレートを用いてアーチ状のトンネルを形成したものである。そのため、部屋の床面との感触の差異、および捕獲器入口の段差などに対する感触の異変でゴキブリが警戒して侵入しなくなる不具合がない。この捕獲器に侵入するゴキブリは、プレート内側の粘着層がゴキブリの背中に粘着することにより捕獲される。
【０００４】
【発明が解決しようとする課題】
しかし、捕獲器本体の平らな底部上面に粘着剤を塗布した捕獲器では、捕獲器内に侵入したゴキブリが水、油などで濡れていたばあい、粘着剤の粘性が弱まるため、逃亡することがある。とくに粘着剤を平行に筋塗りしたり、または実開昭５３−２９９７５号記載の波型筋状に塗布した捕獲器は、底部上面に非粘着部が残っているため、捕獲器内部に侵入してきたゴキブリの逃亡防止には不充分である。
【０００５】
また、実開昭５３−１００４８２号記載の粘着部に凹凸部を有する捕獲器は、凹凸が直線状の繰り返しであるため、ゴキブリの逃亡防止には不充分である。また、かかる捕獲器は底板がないため、ゴキブリが捕獲器中央付近に侵入したばあいゴキブリの背中が粘着部に粘着することなく、そのまま捕獲器を通り抜けてしまい、逃亡防止には不充分である。
【０００６】
さらに、粘着部に凹凸部を形成しても、そのままにして保管または搬送すると、温度や自重により粘着剤が徐々にへたってきて凹凸部が平らになりやすいという問題がある。
【０００７】
本発明はかかる問題を解消するためになされたものであり、粘着剤を利用したゴキブリ捕獲器であって、捕獲器内部に侵入したゴキブリの歩行を効果的に妨害することにより捕獲器外部への逃亡を確実に防止することができるゴキブリ捕獲器を提供することを目的とする。
【０００８】
また、本発明は前記ゴキブリ逃亡防止効果を奏しうる剥離紙付きゴキブリ捕獲器およびその製法を提供することも目的とする。
【０００９】
【課題を解決するための手段】
本発明のゴキブリ捕獲器は、少なくとも底部を備えた捕獲器本体からなり、当該底部の上面に粘着部を有するゴキブリ捕獲器であって、
前記粘着部に複数の突条が配列され、かつ前記突条の少なくとも一部が水平方向に曲げられてなることを特徴としている。
【００１０】
前記突条が前記捕獲器本体の軸方向に沿って水平方向に連続的に蛇行されてなるのが好ましい。
【００１１】
前記突条が前記捕獲器本体の幅方向に沿って水平方向に連続的に蛇行されてなるのが好ましい。
【００１２】
前記突条が前記捕獲器本体の軸方向に沿って水平方向に蛇行されている部分と前記捕獲器本体の幅方向に沿って水平方向に蛇行されている部分とを組み合わせて形成されているのが好ましい。
【００１３】
前記突条が前記捕獲器本体の対角方向に沿って水平方向に蛇行されているのが好ましい。
【００１４】
前記突条が略くさび状を呈しており、前記突条が千鳥状に配列して形成され、かつ、隣接する列の突条同士が互いに反対に向けられているのが好ましい。
【００１５】
前記突条がそれぞれ２〜２０ｍｍ程度の幅を有してなるのが好ましい。
【００１６】
請求項２記載のゴキブリ捕獲器は、少なくとも底部を備えた捕獲器本体からなり、当該底部の上面に粘着部を有するゴキブリ捕獲器であって、
前記粘着部に複数の突起が千鳥状に配列して形成されてなることを特徴としている。
【００１７】
請求項３記載のゴキブリ捕獲器は、少なくとも底部を備えるとともに当該底部の上面に粘着部を有する捕獲器本体と、前記粘着部を被覆するための剥離紙とからなるゴキブリ捕獲器であって、
前記粘着部および剥離紙の両方に複数の突条が配列され、かつ前記突条の少なくとも一部が水平方向に曲げられてなることを特徴としている。
【００１８】
請求項５記載のゴキブリ捕獲器の製法は、（ａ）捕獲器本体の底部の上面に粘着部を形成し、
（ｂ）前記粘着部を剥離紙で被覆し、ついで
（ｃ）前記粘着部および剥離紙の両方に、少なくとも一部が水平方向に曲げられた突条を配列することを特徴としている。
【００１９】
請求項１、２または３記載のゴキブリ捕獲器およびその製法（請求項５）において、前記粘着部に塗布される粘着物質の粘度が１３０℃付近で２５００〜３３００Ｐ程度であるのが好ましい。
【００２０】
なお、本明細書における蛇行とは、直線状でないことであり、曲部の程度（曲率または長さなど）についてはとくに限定されるものではなく、規則的でなくてもよい。
【００２１】
本発明者らはゴキブリ捕獲器内部に侵入したゴキブリが粘着部上で歩行しにくくするための手段について鋭意検討を重ねた結果、本発明を創作するに至った。
【００２２】
すなわち、請求項１記載の発明によれば、粘着部に複数の突条が配列され、かつ前記突条の少なくとも一部が蛇行するなどして水平方向に曲げられているため、水または油などで足が濡れたゴキブリなどが捕獲器内に侵入したときに粘着部の粘性が低下しても、足が突条にひっかかり、歩行しにくくなるため、ゴキブリの逃亡を確実に防止することができる。
【００２３】
また、請求項２記載の発明によれば、粘着部に複数の突起が千鳥状に配列して形成されているため、水または油などで足が濡れたゴキブリなどが捕獲器内に侵入したときに粘着部の粘性が低下しても、足が突起にひっかかり、歩行しにくくなるため、ゴキブリの逃亡を確実に防止することができる。
【００２４】
さらに請求項３および５記載の発明によれば、粘着部および剥離紙の両方に突条を配列することによって、粘着部の凹凸が平らになるという不具合がなくなるため、使用時において剥離紙を剥せば、前述の請求項１記載の発明と同様のゴキブリ逃亡防止効果を奏することができる。さらに、粘着部に塗布される粘着物質の粘度を１３０℃付近で２５００〜３３００Ｐとすることにより、剥離紙の剥離後も突条が維持され、使用の際、突条がくずれることがない。
【００２５】
【発明の実施の形態】
つぎに、図面を参照しながら本発明のゴキブリ捕獲器を詳細に説明する。図１は本発明のゴキブリ捕獲器の一実施例を示す一部切欠斜視説明図、図２は図１のゴキブリ捕獲器のII−II線断面図、図３は図１のゴキブリ捕獲器を展開した状態を示す平面図、図４は本発明のゴキブリ捕獲器の他の実施例を示すゴキブリ捕獲器を展開した状態を示す平面図および図５〜７は本発明のゴキブリ捕獲器のさらに他の実施例を示すゴキブリ捕獲器を展開した状態を示す平面図である。
【００２６】
図１〜３に示されるゴキブリ捕獲器は、従来より採用されている、通常の組み立て自在の捕獲器本体１の底部３のほぼ上面全体に蛇行させた凹凸状に形成された粘着部２が設けられたものであり、捕獲器本体１の軸方向の前後に開いた開口部４ａ、４ｂ、および捕獲器本体１の両側の側面部５ａ、５ｂに形成された開口部６ａ、６ｂを通ってゴキブリが捕獲器本体１の内部へ侵入できるようになっている。
【００２７】
捕獲器本体１は、紙、プラスチックス、ゴム、金属、木などを単独または組み合わせることにより作製されたシートを折り紙細工の要領（図３の一点鎖線を谷折り、破線を山折り）で折り曲げ、２枚の天面板７ａ、７ｂ同士を接続することにより中空体となるように形成されたものである。
【００２８】
なお、本実施例では、偏平な台形断面を呈する筒体からなる捕獲器本体を例に挙げて説明したが、捕獲器本体１の形状は本発明においてとくに限定されるものではなく、台形状、逆台形状、長方形状、三角形状または多角形状、半円形状、あるいは正方形状である筒状体や箱状体なども採用することができる。
【００２９】
粘着部２は、捕獲器本体１の底部３をエンボス加工、凹凸加工された型によるプレスまたは溝付きローラで挟み込むなどの加工を施すことにより、連続して蛇行した複数の突条９および溝１０が交互に形成され、さらに底部３の上面全体に粘着物質が塗布されたものである。粘着部２は、保管時および搬送時においては剥離紙１５（図３参照）により保護されており、使用直前に剥離紙を剥離することにより粘着部２が露出し、使用可能な状態になる。突条９と突条９との間は、水平な、すなわち底が平坦な溝１０が好ましい。
【００３０】
底部３に塗布された粘着物質は、常温で粘着性を有する不乾性のものでかつ常温で流動性のないものであればよく、通常、軟化剤と粘着付与樹脂とからなる。軟化剤としてはたとえばポリブテン、ミネラルオイル、ラノリン、液状ポリアクリートなどを使用できる。粘着付与樹脂としては石油樹脂、ロジン、水添ロジン、水添ロジンエステル、テルペン系炭化水素樹脂、脂肪族炭化水素樹脂、脂環族炭化水素樹脂、芳香族炭化水素樹脂、フェノール樹脂などを使用できる。
【００３１】
また、粘着性および強度を増加させるためにゴムを添加することもできる。ゴムとしては天然ゴムおよびブチルゴム、ポリイソブチルゴム、クロロブレンゴムなどの合成ゴムを使用できる。
【００３２】
前記粘着物質を製造するにあたっては、たとえばゴムを添加するばあい、あらかじめトルエン、ｎ−ヘキサンなどの溶剤に溶解後、粘着性付与樹脂と軟化剤に添加すればよい。また、ゴム、粘着性付与樹脂および軟化剤を配合しトルエンなどの溶媒に溶解してもよい。この際過剰の溶媒があればこれを除去すればよい。なお、使用される素材が良好な相溶性を有しているときは溶媒を使用せずに製造できる。
【００３３】
以上の材料により製造され、底部３に塗布される粘着剤の粘度はＪＩＳ  Ｋ６８３３（１９８０）に準拠する測定方法により測定され１３０℃付近で２５００〜３３００Ｐ程度のあいだの範囲とすることが好ましい。その効果として、剥離紙の剥離後も突条９の形状が維持され、使用の際に突条９の形状がくずれることがない。
【００３４】
図１〜３の粘着部２は、突条９および溝１０が前記捕獲器本体１の軸方向に沿って形成されている。これにより、水または油などで足が濡れたゴキブリなどが開口部４ａ、４ｂ、および開口部６ａ、６ｂを通って捕獲器内に侵入したときに粘着部２の粘性が低下しても、足が突条９および溝１０にひっかかり、効果的に歩行を妨害するため、ゴキブリの逃亡を確実に防止することができる。とくに突条９および溝１０が前記捕獲器本体１の軸方向に沿って形成されていることにより、捕獲器本体１の幅方向からの侵入および幅方向への逃亡時に対して、より効果的に歩行を妨害することができる。
【００３５】
また、粘着部２は、図４に示されるように、突条９および溝１０が前記捕獲器本体１の幅方向に沿って形成されていてもよい。このばあいも足が突条９および溝１０にひっかかり、効果的に歩行を妨害するため、ゴキブリの逃亡を確実に防止することができる。とくに突条９および溝１０が前記捕獲器本体１の幅方向に沿って形成されていることにより、軸方向からの侵入および軸方向への逃亡時に対してより効果的に効果を妨害することができる。
【００３６】
さらに、粘着部２は、図５〜６に示されるように、突条９および溝１０が前記捕獲器本体１の軸方向に沿う部分９ａ、１０ａと幅方向に沿う部分９ｂ、１０ｂとを組み合わせて形成してもよい。図５の粘着部２においては、軸方向および幅方向に沿う突条９および溝１０が互いに断続して配置されている。なお、粘着部２の空いている領域に直線状の突条１４を形成してもよい。一方、図６においては、突条９および溝１０がループ状に連続して配置されている。これら図５〜６のばあい、軸方向および幅方向の両方向からの侵入および逃亡時に対して、効果的に歩行を妨害することができる。
【００３７】
また、図示されていないが、前記突条９および溝１０が前記捕獲器本体１の対角方向に沿って形成されていれば、捕獲器本体１のコーナー部分に侵入用の開口があるばあいにも効果的に歩行を妨害することができる。
【００３８】
本実施例では、図２に示されるように底部３のうち、突条９の部分のみ上方へ突出させ、隣接する２本の突条９のあいだの突条９よりも相対的に低い部分を溝１０として用いている。しかし本発明はこれに限定されるものではなく、溝１０の部分のみ下方へ突出させたり、連続的な波付き加工を行なうことによって突条９および溝１０を形成してもよい。
【００３９】
前記突条９および溝１０は、幅が大きすぎても小さすぎてもゴキブリの足が突条９および溝１０にひっかからなくなり、歩行を効果的に妨害することができなくなるため、それぞれ２〜２０ｍｍ程度、とくに４〜８ｍｍ程度の幅に設定されるのが好ましい。
【００４０】
なお、本実施例では突条９および溝１０が蛇行している例をあげて説明しているが、本発明はこれに限定されるものではなく、粘着部２に複数の突条９および溝１０が交互に形成され、かつ前記突条９および溝１０の少なくとも一部が水平方向に曲げられていれば、ゴキブリの足が突条９および溝１０にひっかかり、効果的に歩行を妨害することができる。したがって、蛇行タイプの他にも粘着部２において同心円状やのこ歯状の複数の突条９および溝１０が設けられたばあいであっても前記効果を奏することができる。
【００４１】
以上の図３〜６の例では、突条９が連続的に配列されている例が示されているが、本発明はこれに限定されるものではない。要するに突条９は複数配列されていればよく、連続的でなく、断続的でもよい。
【００４２】
たとえば、図７に示されるように、前記突条９が略くさび状を呈しており、前記突条９が千鳥状に配列して形成され、かつ隣接する列の突条９同士が互いに反対に向けられていてもよい。このばあい、隣接する突条９同士のあいだの間隙が前記溝１０の役目を果たす。この図７のばあいも前記ゴキブリ逃亡防止効果を奏することができる。
【００４３】
また、図７の略くさび状の突条９の代わりに、丸形、三角形、四角形またはその他の多角形、ないしは棒形、卍形、Ｘ形、星形などの形状を呈する複数の突起が千鳥状に配列して形成されていてもよい。このばあいも隣接する突起同士のあいだの間隙が前記溝１０の役目を果たす。したがって、前記ゴキブリ逃亡防止効果を奏することができる。
【００４４】
また、図１〜７の粘着部２を、輸送時および保管時における保護のために、剥離紙１５（図３参照）で被覆してもよい。このばあい、粘着部２に剥離紙１５を被覆したのちに粘着部２および剥離紙１５の両方に対して突条９および溝１０（または千鳥状配列のくさび形突条または突起）を同時に形成することにより、粘着剤が所定の形状を保ち、粘着部２の凹凸が平らになるという不具合がなくなる。そのため、剥離紙１５を剥して使用すれば、前記ゴキブリ逃亡防止効果を奏することができる。
【００４５】
捕獲器本体１の大きさは、あまり大きくなると使用性がわるくなるとともに製造コストもかさむので、幅は５０ｃｍ以下、かつ長さが５０ｃｍ以下程度に設定するのが好ましい。
【００４６】
また、ゴキブリが容易に侵入しやすく、かつ逃亡しにくくするために、捕獲器本体１の軸方向の前後に開いた開口部４ａ、４ｂには、底面部よりも高く踏み板８が形成されていてもよい。
【００４７】
さらに、捕獲器本体１は、図１〜３に示されるように、使用状態において天面板７ａに設けられた差し込み片１１を他方の天面板７ｂに設けられた差し込み口１２を選択して差し込むことにより、底部３から天面板７ａ、７ｂまでの高さを調節することができる構成になっている。なお、１３は押さえ片であり、差し込み片１１とともに他方の天面板７ｂの一部を挟持することにより、天面板７ａ、７ｂ同士の結合をより堅固にしている。しかも、天面板７ａ、７ｂまでの高さをもっとも低くして組み立てれば、床と家具とのあいだなどのわずかな隙間にも該ゴキブリ捕獲器を差し込んで設置することができる。
【００４８】
ここで、ゴキブリの逃亡防止効果を数値的に把握するための実験を行なった。結果を表１に示す。表１には、未成熟の小さいゴキブリ（表１の若）、中ぐらいの成熟度（大きさ）のゴキブリ（表１の中）、成熟した大きいゴキブリ（表１の成）をそれぞれ１匹づつゴキブリ捕獲器に入れ、粘着部上で歩行した歩数をそれぞれ２０匹づつ計測したばあいの歩数の平均がまとめられている。比較されたゴキブリ捕獲器は、図３のように突条および溝が捕獲器本体の軸方向に沿って形成された粘着部を有するゴキブリ捕獲器（表１の▲１▼）、図４のように突条および溝が捕獲器本体の幅方向に沿って形成された粘着部を有するゴキブリ捕獲器（表１の▲２▼）、および従来の平たんな粘着部を有するゴキブリ捕獲器（表１の▲３▼）である。表１より、本発明の実施例である▲１▼および▲２▼は、従来例である▲３▼と比較して、いずれも若、中、成で歩数が大きく減少していることがわかる。
【００４９】
【表１】
0003801751.tif 000002
【００５０】
以上の表１の結果、および実験中のゴキブリの挙動の観察より、前記突条および溝は直線状ではないので、比較的大きいゴキブリが粘着部から逃げようとして突条の頂上に載ったまま早足で直線的に歩行すれば、突条から足を踏み外す可能性が高く、粘着部に足および胴部が粘着しやすくなることがわかった。一方、小さいゴキブリは溝に沿って歩行しようとするが、溝が直線状ではないので、突条にぶつかる可能性が高く、粘着部に足および胴部が粘着しやすくなることがわかった。したがって、あらゆる大きさのゴキブリの歩行を効果的に効果的に妨害して、逃亡を防止することができることがわかった。
【００５１】
【発明の効果】
本発明によれば、水または油などで足が濡れたゴキブリなどが捕獲器内に侵入したときに粘着部の粘性が低下しても、足が突条および溝にひっかかり、効果的に歩行を妨害するため、ゴキブリの逃亡を確実に防止することができる。
【００５２】
また、粘着部に剥離紙を被覆したのちに粘着部および剥離紙の両方に対して突条および必要に応じて溝を形成することにより、粘着部の凹凸が平らになるという不具合がなくなる。そのため、剥離紙を剥して使用すれば、前記ゴキブリ逃亡防止効果を奏することができる。
【００５３】
さらに、粘着部に塗布される粘着物質の粘度を１３０℃付近で２５００〜３３００Ｐとすることにより、剥離紙の剥離後も突条が維持され、使用の際、突条がくずれることがない。
【図面の簡単な説明】
【図１】本発明のゴキブリ捕獲器の一実施例を示す一部切欠斜視説明図である。
【図２】図１のゴキブリ捕獲器のII−II線断面図である。
【図３】図３は図１のゴキブリ捕獲器を展開した状態を示す平面図である。
【図４】本発明のゴキブリ捕獲器の他の実施例を示すゴキブリ捕獲器を展開した状態を示す平面図である。
【図５】本発明のゴキブリ捕獲器のさらに他の実施例を示すゴキブリ捕獲器を展開した状態を示す平面図である。
【図６】本発明のゴキブリ捕獲器のさらに他の実施例を示すゴキブリ捕獲器を展開した状態を示す平面図である。
【図７】本発明のゴキブリ捕獲器のさらに他の実施例を示すゴキブリ捕獲器を展開した状態を示す平面図である。
【符号の説明】
１  捕獲器本体
２  粘着部
３  底部
９  突条
１０  溝
【図１】
0003801751.tif 000003
【図２】
0003801751.tif 000004
【図３】
0003801751.tif 000005
【図４】
0003801751.tif 000006
【図５】
0003801751.tif 000007
【図６】
0003801751.tif 000008
【図７】
0003801751.tif 000009